(57)【要約】【課題】ゴミ箱外側へのゴミ袋はみ出しがなく、かつゴミ袋の組み付けと取り外しが容易なゴミ箱を提供する。【解決手段】ゴミ袋上部の余り部分を収めるため、複数の支持腕を用いてゴミ箱の開口部内側に、ゴミ箱筒体面とほぼ一定の間隙を空けて環状フレームを取り付ける。【選択図】　図１
2004091206.tif 000002
【特許請求の範囲】
【請求項１】
ゴミ箱筒体の開口部内側に、筒体に取り付けた複数の支持腕により環状フレームを筒体内側面との間に手指が入る程度の間隙を空けて支持し、環状フレームの内側に挿入したゴミ袋の余り部分を前記間隙に折り返して落とし込むようにしたフレーム組込式ゴミ箱。
【請求項２】
ゴミ袋の余り部分をゴミ箱筒体の内側で外向きに折り返せるように、筒体内側面との間に手指が入る程度の間隙を空けて、筒体上縁に取り付けた複数の支持腕あるいはヒンジにより支持される環状のフレームと、支持腕の組み合わせ。
【請求項３】
ゴミ箱筒体上縁に取り付けて、開口部内側面とほぼ一定の間隙を空けて環状のフレームを支持するＵ字状の支持腕であって、この支持腕の底部に相当する部分を下方に深めた、ゴミ箱組み付け用のフレーム支持腕。
【発明の詳細な説明】
【０００１】
【発明の属する技術分野】
この発明は、ゴミ袋使用ゴミ箱の美観および操作性の向上に関する。
【０００２】
【従来の技術】
挿入しておいたゴミ袋がゴミ投入時に内部へ引きずり込まれないために、余ったゴミ袋上縁部をゴミ箱筒体の外側に折り返すことが多く見られる。ゴミ袋として角型形状のものが市販されているが、一般家庭ではスーパーなどの買い物袋、いわゆるポリ袋をゴミ袋として再使用することが多い。いずれの場合も筒体外側にはみ出した部分の収まりが悪く、室内の雰囲気を損なっている。これを改善するため、目隠しとしてゴミ箱上部に中央開孔付きの蓋を取り付け、蓋の外周から下方に向かって垂れ下げたスカート付き２重筒式のもの、あるいは単純に２重筒式（特開平１１−１００１０２、登録実用新案第３０７３９１０号）のもの、ゴミ袋ずれ止め用としてベルト状の弾性環状体（特開２００２−１６７００４，実開平６−７８３０４）追加、ゴミ箱筒体上部にかぶせる飾り押さえ枠（実開平７−８３０５、登録実用新案第０４１３０７号、登録実用新案第３０６８１２１号）追加、落とし込み環状リング（実開平６−７８３０２、特開平９−１５６７０５）追加など多数の工夫があるが、共通する欠点として、ゴミ袋の抑え具あるいははみ出し部の隠し具が筒体とは別体の構成であるために、嵩張る、コスト要素が多い、美観向上が十分でない、ゴミ袋組み付けおよび取り外しに煩雑な両手操作が必要などの短所がある。このためいずれも実用化されていない。実用化されているものでは、筒体上部内側に密着嵌合する全周型フレームを別体で用意し、筒体とこのフレームの間にゴミ袋の上部をずれないように挿み込んで固定し、余分となったゴミ袋上部をフレームの内側へ折り返して落とし込むものが市販されている。外部への袋のはみ出しはないが、ゴミ袋を取り出すにはまずフレームをゴミ袋内部から取り出し、次にゴミ袋を取り外すなど２段階の作業が必要である。またヒンジ付きの半周型フレーム２個を筒体開口部内側にほぼ密着して組み付けたものも市販されている。これは、片側のフレームを持ち上げて間隙を開き、開いた間隙にゴミ袋上部の片側を押し込み、ゴミ袋が動かないように筒体とフレームで密着して挟み込む。次に残る反対側のフレームを同様に操作してゴミ袋上部の残る側を固定するもので、両手での煩雑な連繋作業が必要である。ゴミ袋を取り外すには以上の逆作業を行う。折り返しが上縁部で行われるためにゴミ袋のしわが目立ち、フレームのヒンジ部分でゴミ袋折り返し部分が筒体開口部上縁よりも浮き上がる。そのために、別体のリング状飾りカバーによる押さえを必要としているなどの欠点がある。
【０００３】
【発明が解決しようとする課題】
角形ゴミ袋に比べてスーパーなどで買い物を包むポリ袋は、手提げ部分の形状が大きく伸び上がっているため、ゴミ箱上縁で折り返すと外へのはみ出しあるいは垂れ下がりが大きくなり、体裁が良くない。角形ゴミ袋はで凹凸は少ないが、すべてのゴミ箱のサイズに対応してはいないので、結果として大きめのゴミ袋を使用せざるを得ず、しわとはみ出しが大きい。本発明は、角型ゴミ袋あるいは買い物のポリ袋をそのまま使用しても、袋上方の余り部分が外側にはみ出すことがなく、かつ片手でゴミ袋の着脱ができるほどに取り扱い易いゴミ箱の提供を課題とする。
【０００４】
【課題を解決するための手段】
上記課題解決のために講じた手段は、ゴミ袋上部の余り部分を筒体内側に収めるための専用スペース創出と、従来は別体であるために両手作業を必要としていたゴミ袋押さえ具の筒体への一体化組み付けである。そのため、ゴミ箱筒体の開口部内側に、手指が入る最小限の間隙を保持するほぼ全周型の環状フレームを固定的に支持し、挿入したゴミ袋の上部余り部分をこの間隙に落とし込むことによって、課題を解決することができた。
【０００５】
【作　用】
本発明のゴミ箱では、余分となったゴミ袋の上方部分はすべてフレームを芯にして折り返され、筒体とフレームの間隙に落とし込まれるので外側にはみ出すことがない。従来から美観向上とゴミ袋の内部引きずり込み防止のために袋の余り部分を折り返して保持するという発想は普遍的であったが、美観を保ち、かつ使いやすく実用化されたものがなかった。本発明のゴミ箱は、この折り返しという手段は同じであるが、袋の余り部分を落とし込むために折り返し用のフレームを内側に設け、筒体との間にほぼ一定の間隙を設けることによって、一体組込式の構造を成立させた点が従来のアイデアと異なっており、結果として片手でゴミ袋を着脱できる操作性とはみ出しのない美観が得られた。本発明のポイントはゴミ袋着脱を容易にするために、筒体との間に一定の間隙を空けて、折り返し用のフレームを固定的に支持することである。すなわち、外向き折り返し用に一定の間隙を空けること、折り返し点を筒体上縁よりやや低めることが美観向上を可能にし、筒体内側にフレームを固定的に支持したことが操作を容易にしている。
【０００６】
【実施例】
本発明の実施例１について図１の斜視図および支持腕（以下、支持ブラケットと称する）を含む図２の縦断面図により説明する。角形ゴミ箱の筒体１の開口部内側に環状のプラスチック製あるいは金属製のフレーム２が、複数の支持ブラケット３により支持され、支持ブラケット３は筒体内面にリベット４で固定されている。フレーム２と筒体１の間の間隙６は、指が無理なく入る１５ｍｍ程度である。支持ブラケット３は、ゴミ袋折り返し部分を収容するために筒体への取り付け点が下方にオフセットしている。ゴミ袋５は筒体内部に挿入されているが、上部の余り部分はフレーム２を芯にして外側に折り返され、間隙６に落とし込まれている。筒体１は従来品のゴミ箱をそのまま利用している。薄厚の支持ブラケット３は振れ方向には柔軟で、ゴミ袋の余り部分の落とし込みに際して手指の動きによる若干の変位を許容し、作業を容易にする。本実施例は角形筒体について説明したが、円形筒体でも同様に構成することができる。フレームは一体のものについて説明したが、複数に分割したフレームでも同等の効果が得られる。フレームの構造を丸断面材料で図示したが、角形断面の薄板を使用してもよい。
【０００７】
本発明の実施例２について図３の斜視図およびアンカー部およびフレーム端部を含む図４の一部縦断面図により説明する。ゴミ袋は前項と同様のため図示を省略する。ゴミ箱の筒体７の開口部内側に開放端を有する環状のフレーム８が配置され、フレーム８の中央支持部８ａは筒体７の筒壁にアンカーブラケット９とリベット４により固定されている。フレーム８は若干の弾性を有して開き勝手であるが、開放端８ｂ、８ｃが筒体の孔７ａで拘束されて、一定の間隔で離れている。アンカーブラケット９の筒体への固定位置およびフレーム開放端８ｂ、８ｃはいずれもゴミ袋折り返し部分を収容するために、フレーム８の位置よりも下方にオフセットしている。フレーム８の外周と筒体７の間の間隙１０は、ゴミ袋の特性に合わせて任意に設定できる。ゴミ袋を筒体内部に挿入し、フレーム解放端８ｂ、８ｃを手指でつまんで引き寄せれば間隙１０が拡大し、ゴミ袋上端の余り部分を折り返して容易に落とし込むことができる。つまんでいたフレーム解放端８ｂ、８ｃを放せば弾性により間隙１０が縮小してゴミ袋を安定させる。
【０００８】
フレームを半固定式とした実施例３を図５の斜視図および図６のヒンジ部およびホルダー回りの一部縦断面図に示す。全周型フレーム１２は、その中央部１２ａが筒体１１に固定されたヒンジブラケット１３により係留されているが、ヒンジ回りに回転可能である。フレーム１２を筒体１１の開口部定位置に保持するためにホルダー１４が複数個、筒体１１の内壁面に取り付けられている。筒体１１とフレーム１２の間隙１５の幅の与え方は実施例１と同様である。ゴミ袋余り部分の落とし込みに際しては通常はフレーム１２の持ち上げは不要であるが、ゴミ袋の余り部分が筒体１１に比べて大きい場合に、フレーム１２を若干、持ち上げることにより間隙が拡大して容易に作業することができる。アンカーブラケット１３およびホルダー１４はいずれもゴミ袋余り部分折り返しを収容するために筒体への取り付け点がフレーム位置よりも下方にオフセットしている。この実施例３では全周型フレームについて説明したが、２分割の半周型とした場合は、操作が煩雑にはなるが美観向上では同様な効果を得ることができる。以上、蓋のない実施例３点について説明したが、蓋付きのゴミ箱に対しても同様に適用できる。また、前記間隙内に挿入できるスカート形の延長部をこの蓋の下部に追加すれば、ゴミ袋上部の余り部分をこのスカートで間隙内に押し込むことができるので、手指での押し込みは不要となる。
【０００９】
図７の斜視図に示す実施例４は、すでに使用中の円筒形ゴミ箱に対して、本発明を適用するためのフリーサイズのフレームと支持ブラケットの組み合わせである。ゴミ箱のサイズに合わせるために、フレーム１６は弾力性があって曲げやすい薄板とし、合わせ部には図８の断面図に示すように波形断面のセレーションと押さえクリップ１７を用いて伸縮調節を可能にしている。セレーションの代わりに両面接着テープを用いてもよい。フレーム１６をゴミ箱筒体に固定するために、筒体の上縁に挟んで固定する複数の支持ブラケット１８を組み合わせている。この支持ブラケット１８は筒体上縁にしっかりと固定できるように、弾力性のある金属製であることが望ましい。図９の断面図に示すように、支持ブラケット１８の内側は薄板フレーム１６を挟み込んで保持できるようにクリップ形に成形されている。支持ブラケット１８の断面底部は下方へ深められており、ゴミ袋の浮き上がりを防いでいる。筒体とフレームの間隙の与え方は実施例１，２，３と同様である。
【００１０】
横断面が４角形のゴミ箱にあとからフレームを組み付ける実施例５につき、全体の上面図を図１０に示す。４分割された成形フレーム１９が、それぞれ両端を支持ブラケット２０で支持され、筒体上縁に固定されている。フリーサイズとするために、支持ブラケット２０で２枚合わせとする部分に、実施例４と同様の波形断面を成型して伸縮調節を可能にしている。支持ブラケット２０の弾性で、このかみ合わせが保持される。実施例４および５について、薄板形のフレーム構造を用いて説明したが、管材あるいは棒材をフレームに用いることもできる。
【発明の効果】
本発明のフレーム組込式ゴミ箱は、いずれも既存のゴミ箱筒体を利用することができ、手提げ付きの買い物ポリ袋でも容易に、確実に、体裁良くゴミ袋として使用できるので、再利用が促進されリサイクル効果がある。ゴミ袋の着脱作業が容易なことは実験で確認しているが、特に実施例１および３、４，５は片手でゴミ袋を組み付けできるので、身障者の使用にも適する。これまでに公開された、体裁向上を目的としたアイデアおよび市販品が、ゴミ袋着脱に両手作業を必要とするのに比べて、本発明はフレームが筒体に組み付けられているので手を添える必要がなく、ゴミ袋を片手で着脱できるくらいに作業が容易である。業務用としても多数箇所のゴミ袋回収作業時間が短くなる効果があり、美観向上により客室や事務室、会議室、待合室、廊下などの雰囲気が向上する。
【図面の簡単な説明】
【図１】実施例１の斜視図である。
【図２】実施例１のブラケットを含む縦断面図である。
【図３】実施例２の斜視図である。
【図４】実施例２のアンカー部およびフレーム端部を含む縦断面図である。
【図５】実施例３の斜視図である。
【図６】実施例３のヒンジ部およびホルダー周りを含む縦断面図である。
【図７】実施例４の斜視図である。
【図８】実施例４の合わせ部断面図である。
【図９】実施例４の支持ブラケット部断面図である。
【図１０】実施例５の上面図である。
【図１１】実施例５の支持ブラケット部断面図である。
【符号の説明】
１．　　実施例１の筒体
２．　　フレーム
３．　　支持ブラケット
４．　　リベット
５．　　ゴミ袋
６．　　実施例１のフレーム間隙
７．　　実施例２の筒体
７ａ．　筒体側面の孔
８．　　実施例２のフレーム
８ａ．　フレーム８の中央支持部
８ｂ．　フレーム８の解放端
８ｃ．　フレーム８の解放端
９．　　アンカーブラケット
１０．　実施例２のフレーム間隙
１１．　実施例３の筒体
１２．　実施例３のフレーム
１２ａ．フレーム１２のヒンジ部
１３．　アンカーブラケット
１４．　ホルダー
１５．　実施例３のフレーム間隙
１６．　実施例４のフレーム
１７．　押さえクリップ
１８．　実施例４の支持ブラケット
１９．　実施例５のフレーム
２０．　実施例５の支持ブラケット
【図１】
2004091206.tif 000003
【図２】
2004091206.tif 000004
【図３】
2004091206.tif 000005
【図４】
2004091206.tif 000006
【図５】
2004091206.tif 000007
【図６】
2004091206.tif 000008
【図７】
2004091206.tif 000009
【図８】
2004091206.tif 000010
【図９】
2004091206.tif 000011
【図１０】
2004091206.tif 000012
【図１１】
2004091206.tif 000013